(57)【特許請求の範囲】
【請求項１】
床板上に配置されるソケット本体によって、床板より下方に配置された配管と、被給水体に接続された給水管とを連結する止水栓一体床出しソケットであって、
前記ソケット本体には、前記床板に設けられる挿通孔内に配置されて前記配管が接続される第２接続部と、前記給水管が接続される第１接続部とがオフセットした部位に設けられるとともに、前記配管から供給される水又は湯の前記給水管への供給量を調整する止水栓が前記床板上に位置されるように設けられており、該ソケット本体の下端の外周縁には、前記第２接続部を中心とした円盤状のフランジ部が設けられている止水栓一体床出しソケット。
【発明の詳細な説明】
【０００１】
【発明の属する技術分野】
この発明は、例えば、トイレの床板上に設置され、床板の下側に配置された配管と、床板より上方の便器の給水タンクに接続された給水管とを連結するとともに、給水タンクへの給水量を調整可能な止水栓を備えた止水栓一体床出しソケットに関するものである。
【０００２】
【従来の技術】
例えば、トイレの床下には、引込み管を介して水道管に接続された配管が配置され、その配管には立設管が接続されている。その立設管は床板を貫通して床板より上方へ延び、その上端部に止水栓が接続されて、止水栓が床板より上方に設置されている。立設管の基端部の外周面には、立設管の基端部を保持する保持部材が取付けられ、さらに、その上にカバー又は目隠しとして機能するワン座が取り付けられている。保持部材は床板上に固定されている。
【０００３】
止水栓には継手を介して給水管が接続され、その給水管は便器の給水タンクの接続部に接続されている。そして、配管、立設管、止水栓、継手及び給水管によりトイレの給水タンクへの給水構造が構成されている。
【０００４】
また、図６の破線に示すように、台所の床下には、引込み管を介して水道管に接続された配管６０が配置され、その配管６０は床板６１に埋込まれたボックス型給水ソケット６２の下部に形成された接続部に接続されている。このボックス型給水ソケット６２は、図６の２点鎖線に示すように、上面が開口された有底四角箱状の箱体６３と、その箱体６３内部に設置されたソケット本体６４とより構成されている。そのソケット本体６４の上面に形成された接続部６４ａには、給水管６５が接続されている。また、ソケット本体６４には、各給水管６５と対応する配管６０との間の給水量を調整する止水栓６６がそれぞれ設けられている。
【０００５】
前記給水管６５は台所に設置された図示されない水栓金具に接続されている。そして、配管６０、ボックス型給水ソケット６２及び給水管６５により水栓金具への給水構造が構成されている。
【０００６】
【発明が解決しようとする課題】
ところが、前者の給水構造を構成するためには、配管と立設管、立設管と止水栓、止水栓と継手、継手と給水管及び給水管と給水タンクの接続部との接続が必要であり、それらの接続のほとんどは床板より上方で行われている。そのため、給水構造を構成するためのスペースを広くとってしまうとともに、接続箇所が多く、その施工作業が非常に面倒であるという問題があった。
【０００７】
後者の給水構造において、ボックス型給水ソケット６２の設置の際には、ソケット本体６４が床板６１面より下側に位置するとともに、箱体６３の上面が床板６１の仕上げ面と面一になるように設置しなければならない、そのため、ボックス型給水ソケット６２の設置の際に微妙な高さ調整を必要として設置作業が非常に面倒であるという問題もあった。
【０００８】
この発明は、このような従来技術に存在する問題点に着目してなされたものである。その目的とするところは、給水構造における接続箇所を少なくして、その施工作業の簡易化を図ることができるとともに、その設置スペースを小さくすることができる止水栓一体床出しソケットを提供することにある。その他の目的とするところは、給水構造の設置作業を容易に行うことができる止水栓一体床出しソケットを提供することにある。
【０００９】
【課題を解決するための手段】
上記の目的を達成するために、請求項１に記載の発明の止水栓一体床出しソケットは、床板上に配置されるソケット本体によって、床板より下方に配置された配管と、被給水体に接続された給水管とを連結する止水栓一体床出しソケットであって、前記ソケット本体には、前記床板に設けられる挿通孔内に配置されて前記配管が接続される第２接続部と、前記給水管が接続される第１接続部とがオフセットした部位に設けられるとともに、前記配管から供給される水又は湯の前記給水管への供給量を調整する止水栓が前記床板上に位置されるように設けられており、該ソケット本体の下端の外周縁には、前記第２接続部を中心とした円盤状のフランジ部が設けられているように構成したものである。
【００１２】
【発明の実施の形態】
以下、この発明の実施形態を、図面に基づいて詳細に説明する。
図２に示すように、トイレの床板１１上には便器１２が設置され、その便器１２の後部（図１では左側）上面には、床板１１より上方に位置する被給水体としての給水タンク１３が備えられている。給水タンク１３の下端部には、図示されない接続部が形成され、その接続部には給水管１４の上端部が接続されている。その給水管１４は可撓性を有し、所望する角度に曲げてその延びる方向を調整することができるようになっている。図１に示すように、給水管１４の下端部外周面には接続金具１５が形成され、その接続金具１５の先端外周面には外方へ円環状に突出するフランジ１６が形成されている。フランジ１６より先端側にはシールリング１７が装着されている。
【００１３】
図１、図２及び図３（ａ）に示すように、前記給水管１４の接続金具１５が上面に接続されるとともに、床板１１上に設置される止水栓一体床出しソケット１８は、細長円柱状をなすソケット本体１９より構成されている。そのソケット本体１９の下端の外周縁からは円盤状に外方へ突出するフランジ部２０が形成され、図３（ｂ）に示すように、フランジ部２０の裏面は平面状をなしている。ソケット本体１９内には流路２１が形成されている。また、図３（ａ）の破線及び図３（ｂ）に示すように、前記フランジ部２０の外径は、後述する第２接続部が挿通される床板１１に形成された挿通孔２２の直径より大きく形成されている。フランジ部２０の両側端には固定手段としての図示されない取付孔が形成され、その取付孔に固定手段としてのビス２３を挿通可能になっている。
【００１４】
ソケット本体１９の上面の右端には、円筒状をなし、前記給水管１４の接続金具１５を挿入接続可能な第１接続部２４が上方へ突出形成され、その第１接続部２４は流路２１と連通している。第１接続部２４の先端外周縁には、外方へ円環状に突出する周縁フランジ２５が形成されている。
【００１５】
そして、接続金具１５をそのフランジ１６が周縁フランジ２５に当接するまで第１接続部２４内に挿入し、フランジ１６と周縁フランジ２５とをクリップ２６により挟持して両者が離間不能に接続される。
【００１６】
図１及び図３（ａ）、（ｂ）に示すように、ソケット本体１９の上面の左端には止水口２７が形成され、その止水口２７は前記流路２１と連通している。止水口２７にはほぼ円筒状をなす止水栓２８が螺入され、その上端面には掛止溝２９が形成されている。止水栓２８の上端外周面にはシール部材３０が装着され、止水栓２８の下端には、上端より内径が小さい円筒状をなす係合筒部３１が形成されている。そして、掛止溝２９に例えばマイナスドライバーの先端を掛止させて、止水栓２８をソケット本体１９内部へ螺進させると、係合筒部３１が流路２１に形成された円形状の係合凹部３２に係合して流路２１を閉鎖することができ、止水栓２８の螺入量を調整して流体の流通量を調整することができるようになっている。
【００１７】
図３（ｂ）に示すように、フランジ部２０を介したソケット本体１９の下面には、ほぼ円筒状の第２接続部３３が下方へ突出形成されている。その第２接続部３３内には、前記流路２１と連通する接続筒３４が形成されている。接続筒３４はその外周面と第２接続部３３の内周面との間に円環状をなす隙間を有するように形成され、その内奥部には円環状をなす当接面３５が形成されている。
【００１８】
この当接面３５より下方の内周面には、第１溝部３６が凹設され、その第１溝部３６にはゴム材料により円環状に形成された第１シールリング３７が嵌着されている。その第１シールリング３７より下方の内周面には、収容凹部３８が形成され、その収容凹部３８の下端部には内方へ突出する円環状をなす係止面３９が形成されている。係止面３９より下方の内周面には、凹部４０が凹設され、その凹部４０の上端部にはコイルスプリング４１の上端が接合されている。凹部４０より下方の内周面には、第２溝部４２が形成され、その第２溝部４２にはゴム材料製のＯ−リング４３が嵌着されている。
【００１９】
前記隙間には、ほぼ円筒状をなすロック部材４４が嵌入されている。そのロック部材４４の上端部の外周縁には、外方へ突出する係止片４５が形成され、内周面には内方へ若干突出する係合凸部４６が形成されている。前記係止片４５の上端部側は前記収容凹部３８内に収容されている。コイルスプリング４１の下端はロック部材４４の外周面に接合され、さらに、係止片４５を係止面３９に係止させてコイルスプリング４１を圧縮状態でロック部材４４の外周面と第１接続部２４の内周面との間の凹部４０内に配置している。ロック部材４４をコイルスプリング４１の付勢力により下方へ常に付勢している。ロック部材４４の下端側の内周面には第３溝部４７が凹設され、その第３溝部４７にはゴム材料等により円環状に形成された第２シールリング４８が嵌着されている。
【００２０】
そして、図２に示すように、第２接続部３３には、床板１１の下側において、図示されない引込み管を介して水道管に接続された配管４９の上端部を挿入接続可能になっている。配管４９はポリオレフィン、例えば架橋ポリエチレン又はポリブテンにより円筒状に形成され、可撓性を有している。また、配管４９の上端部は縮径され、ロック部材４４内に嵌入可能に形成されている。
【００２１】
上記の構成の止水栓一体床出しソケット１８は、第２接続部３３を床板１１の挿通孔２２に挿通するとともに、フランジ部２０を床板１１上に配置し、取付孔からビス２３を床板１１にねじ込んで床板１１上に固定して配置されるようになっている。そして、止水栓一体床出しソケット１８により配管４９と給水管１４とを連結し、配管４９から給水タンク１３へ水を供給するようになっている。
【００２２】
前記止水栓一体床出しソケット１８の使用方法を以下に記載する。
まず、図２に示すように、床板１１上に設置された便器１２の給水タンク１３の接続部に給水管１４を接続し、その給水管１４のほぼ真下の床板１１に図２の破線に示す挿通孔２２を形成する。そして、図３（ｂ）に示すように、その挿通孔２２に止水栓一体床出しソケット１８の第２接続部３３を挿通するとともに、フランジ部２０を床板１１上に配置する。次に、ビス２３により止水栓一体床出しソケット１８を床板１１上に取付固定する。
【００２３】
このとき、止水栓一体床出しソケット１８は、床板１１上に配置され、ビス２３を床板１１にねじ込むのみで床板１１上に取付固定されるとともに、挿通孔２２がフランジ部２０により覆い隠される。また、フランジ部２０の裏面は平面状をなすため、床板１１上に安定した状態で載置される。
【００２４】
次いで、床板１１の下側に配設された配管４９の上端部をロック部材４４内を介して第２接続部３３内に挿入するとともに、接続筒３４を配管４９の内側に嵌入する。すると、ロック部材４４がコイルスプリング４１の付勢力に抗して第２接続部３３の奥方へ移動し、配管４９の上端面が係合凸部４６を通過して第２接続部３３の奥方へ挿入される。さらに、配管４９の上端面が当接面３５に当接するまで挿入する。すると、図４に示すように、コイルスプリング４１の下方への付勢力により係合凸部４６がロック部材４４側へ付勢され、係合凸部４６が配管４９の外面に係合して配管４９が第２接続部３３内に抜け出し不能に接続される。また、第１シールリング３７により配管４９の外周面と第２接続部３３の内周面との間がシールされ、第２シールリング４８により配管４９の外周面とロック部材４４の内周面との間がシールされる。さらに、Ｏ−リング４３によりロック部材４４の外周面と第２接続部３３の内周面との間がシールされる。
【００２５】
続いて、図３（ｂ）に示すように、第１接続部２４に給水管１４の接続金具１５を挿入し、フランジ１６と周縁フランジ２５とをクリップ２６により挟持して両者を離間不能に接続する。このとき、シールリング１７により、第１接続部２４の内周面と、給水管１４の外周面との間がシールされる。また、給水管１４は可撓性を有するため、その接続金具１５を第１接続部２４に容易対応させることができる。
【００２６】
その結果、図１及び図２に示すように、配管４９が止水栓一体床出しソケット１８及び給水管１４を介して給水タンク１３に連結される。このとき、配管４９と給水タンク１３とは、配管４９と第２接続部３３との接続、第１接続部２４と給水管１４との接続及び給水管１４と給水タンク１３との接続の３箇所の接続のみにより接続される。
【００２７】
また、止水栓一体床出しソケット１８には止水口２７が一体化され、その止水口２７に止水栓２８が取り付けられているため、給水タンク１３と止水栓一体床出しソケット１８との間に別体の止水栓２８を別に接続する必要がなくなる。
【００２８】
最後に、図２の２点鎖線及び図３（ｂ）に示すように、ソケット本体１９の上面と面一となるように床材としてクッションフロア５０を床板１１の上に設置する。すると、フランジ部２０及びビス２３がクッションフロア５０により被覆される。
【００２９】
前記の実施形態によって発揮される効果について、以下に記載する。
・  止水栓一体床出しソケット１８により、配管４９と給水タンク１３とは、配管４９と第２接続部３３、第１接続部２４と給水管１４及び給水管１４と給水タンク１３の接続部の３箇所の接続により連結される。そのため、従来のように配管と立設管、立設管と止水栓、止水栓と継手、継手と給水管及び給水管と給水タンクの接続部の５箇所の接続を必要とする場合と異なり、接続部分を少なくすることができる。従って、配管４９と給水タンク１３との間の給水構造の施工作業の簡易化を図ることができるとともに、漏水のおそれを低減することができる。
【００３０】
・  止水栓一体床出しソケット１８は床板１１上に配置され、第２接続部３３、止水栓２８及び第１接続部２４が一体化されている。そのため、配管４９と第２接続部３３との接続及び第１接続部２４と給水管１４との接続は、床板１１の直近で行われる。従って、従来のように、立設管と止水栓、止水栓と継手、継手と給水管及び給水管と給水タンクの接続を床板１１上で行い、それらが床板１１上に配置される場合と異なり、給水構造を狭いスペースで構成することができる。また、ソケット本体１９に別体の止水栓２８を接続する必要がなく、給水構造を簡易化することができる。
【００３１】
・  止水栓一体床出しソケット１８は床板１１上に設置して使用される。そのため、従来のボックス型給水ソケットのように、ソケット本体が床板１１面の下側に位置するとともに、箱体の上面が床板１１の仕上げ面と面一になるよう微妙な高さ調整をして設置する場合と異なり、設置作業の簡易化を図ることができる。
【００３２】
・  フランジ部２０の取付孔から床板１１にビス２３を取り付けることにより、ソケット本体１９を床板１１上に容易に固定することができる。
・  フランジ部２０の外径は床板１１の挿通孔２２の内径より大きく形成され、第２接続部３３はフランジ部２０の外周縁より内側に形成されている。そのため、挿通孔２２をフランジ部２０により覆い隠すことができ、挿通孔２２が上方から視認されるのを防止して、その外観の低下を防止することができる。
【００３３】
・  第１接続部２４と配管４９とは、ロック部材４４により接続され、その配管４９の外周面と第２接続部３３及びロック部材４４の内周面との間は、第１シールリング３７及び第２シールリング４８によりシールされる。また、第１接続部２４と給水管１４とはクリップ２６により接続され、第１接続部２４の内周面と給水管１４の外周面との間はシールリング１７によりシールされる。そのため、各接続部分における接続作業を容易に行うことができ、かつ抜け出し不能にすることができる。
【００３４】
・  止水栓一体床出しソケット１８は床板１１上に設置され、そのソケット本体１９の第１接続部２４に給水管１４が接続される。そのため、床板１１から立ち上がった位置に止水栓や継手を設け、それらに給水管１４を接続する場合に、止水栓や継手に負荷が作用する従来と異なり、第１接続部２４に作用する給水管１４の施工時の負荷を低減することができる。
【００３５】
・  給水管１４は可撓性を有するため、その接続金具１５が第１接続部２４に対応するように調整することができる。そのため、給水管１４の真下に第１接続部２４が位置するような厳密な位置調整を必要とせず、止水栓一体床出しソケット１８の設置作業を容易に行うことができる。
【００３６】
なお、本実施形態は、次のように変更して具体化することも可能である。
・  図５（ａ）、（ｂ）に示すように、ソケット本体１９の第２接続部３３側の下端の外周縁から、第２接続部３３を中心とし、外径が挿通孔２２の直径より大きい円盤状のフランジ部２０を形成し、そのフランジ部２０に取付孔を形成してもよい。このように構成した場合、例えば、ソケット本体１９が図５（ａ）の２点鎖線に示す場所に位置するように止水栓一体床出しソケット１８を配置する。このとき、ソケット本体１９は第２接続部３３を中心に移動するため、その第２接続部３３を中心とした円盤状をなすフランジ部２０の位置は移動しない。そのため、フランジ部２０により挿通孔２２を覆い隠すことができる。
【００３７】
・  止水栓一体床出しソケット１８を台所、洗面所、風呂等に設置し、給水管１４を被給水体として水栓金具、給湯器、シャワー等に接続してもよい。
・  フランジ部２０を省略し、ソケット本体１９の裏面に、固定手段としての両面粘着テープ、接着剤等によりソケット本体１９を床板１１上に固定してもよい。このように構成した場合、止水栓一体床出しソケット１８の材料の節約を図ることができる。
【００３８】
・  第１接続部２４を第２接続部３３と同様の構成に形成してもよい。又は第２接続部３３を第１接続部２４と同様の構成に形成してもよい。
・  ソケット本体１９内の流路２１に逆止弁又は定流量弁を設けてもよい。さらに、そのソケット本体１９の流路２１にストレーナを設置してもよい。又はソケット本体１９の流路２１内の逆止弁を省略し、ストレーナのみを設置してもよい。
【００３９】
・  ソケット本体１９に第１接続部２４及び第２接続部３３をそれぞれ２箇所以上有するように構成してもよい。このように構成した場合、１つの止水栓一体床出しソケット１８により配管４９及び給水管１４を２本以上接続することができ、止水栓一体床出しソケット１８を２つ床板１１に取り付ける場合と異なり、施工作業の簡易化を図ることができる。
【００４０】
・  給水管１４内に、湯を流通させてもよい。
・  フランジ部２０の外径を挿通孔２２の直径より小さくしてもよい。
・  ソケット本体１９を四角柱状、円柱状等に形成してもよい。
【００４１】
・  配管４９を、その上端部を縮径形成せずに、第２接続部３３のロック部材４４内に嵌入可能な円筒状に形成してもよい。
・  ソケット本体１９の上面に、第１接続部２４の代わりにエルボの一端を回動可能に接続し、そのエルボの他端に給水管１４をクイックジョイント又はワンタッチジョイントにより接続してもよい。このように構成した場合、エルボを回動させることにより、給水管１４の位置を対応させて容易に接続することができる。
【００４２】
さらに、前記実施形態より把握できる技術的思想について以下に記載する。
・  前記ソケット本体の下部に、前記接続部を中心とした円盤状をなすとともに、挿通孔を覆う大きさのフランジ部を形成した請求項３に記載の止水栓一体床出しソケット。
【００４３】
このように構成した場合、ソケット本体の位置を移動させたとき、ソケット本体は接続部を中心に移動するため、同接続部を中心としたフランジ部は移動しない。従って、ソケット本体が移動してもフランジ部により挿通孔を覆い隠すことができる。
【００４４】
・  前記接続部はフランジ部の外周縁より内側に形成されている請求項２又は請求項３に記載の止水栓一体床出しソケット。
このように構成した場合、止水栓一体床出しソケットを床板上に配置したとき、挿通孔をフランジ部により確実に覆い隠すことができる。従って、挿通孔が上方から視認されるのを防止して、その外観の低下を防止することができる。
【００４５】
・  前記床板上には、ソケット本体の上面と面一となるように床材が設置される請求項１〜請求項３のいずれかに記載の止水栓一体床出しソケット。
このように構成した場合、ソケット本体の下方を被覆してその設置場所の美観が損なわれるのを防止できる。
【００４６】
【発明の効果】
以上詳述したように、この発明によれば、次のような効果を奏する。
請求項１に記載の発明の止水栓一体床出しソケットは、給水構造における接続箇所を少なくして、その施工作業の簡易化を図ることができるとともに、その設置スペースを小さくすることができる。また、給水構造の設置作業を容易に行うことができる。また、ソケット本体の下端の外周縁に、第２接続部を中心とした円盤状のフランジ部を設けたため、挿通孔を覆い隠して、挿通孔内が上方から視認されるのを防止して、その外観の低下を防止することができる。また、ソケット本体の位置を移動させる場合には、ソケット本体は第２接続部を中心に移動（回転）するため、同第２接続部を中心とするフランジ部は移動されない。従って、ソケット本体が移動してもフランジ部により挿通孔を覆い隠すことができる。
【図面の簡単な説明】
【図１】  実施形態の止水栓一体床出しソケットを示す分解斜視図。
【図２】  トイレに止水栓一体床出しソケットを設置した状態の側断面図。
【図３】  （ａ）は実施形態の止水栓一体床出しソケットを示す平面図、（ｂ）は実施形態の止水栓一体床出しソケットを示す側断面図。
【図４】  第２接続部と配管との接続を示す部分断面図。
【図５】  （ａ）は止水栓一体床出しソケットの別例を示す平面図、（ｂ）は止水栓一体床出しソケットの別例を示す側断面図。
【図６】  従来のボックス型給水ソケットを示す斜視図。
【符号の説明】
１１…床板、１３…被給水体としての給水タンク、１４…給水管、１８…止水栓一体床出しソケット、１９…ソケット本体、２０…フランジ部、２２…挿通孔、２３…固定手段としてのビス、２４…第１接続部、２８…止水栓、３３…第２接続部、４９…配管。
【図１】
0003682393.tif 000002
【図２】
0003682393.tif 000003
【図３】
0003682393.tif 000004
【図４】
0003682393.tif 000005
【図５】
0003682393.tif 000006
【図６】
0003682393.tif 000007